(57)【特許請求の範囲】
【請求項１】
化学組成が、質量％で、
Ｃ：０．４％〜０．９％未満、
Ｓｉ：１．０％〜３．０％、
Ｍｎ：０．１％〜２．０％、
Ａｌ：０．０１％〜０．０５％、
ＲＥＭ：０．０００１％〜０．００５％、
Ｔ．Ｏ：０．０００１％〜０．００３％、
Ｔｉ：０．００５％未満、
Ｎ：０．０１５％以下、
Ｐ：０．０３％以下、
Ｓ：０．０３％以下、
Ｃｒ：０％〜２．０％、
Ｃｕ：０％〜０．５％、
Ｎｉ：０％〜３．５％、
Ｍｏ：０％〜１．０％、
Ｗ：０％〜１．０％、
Ｂ：０％〜０．００５％、
Ｖ：０％〜０．７％、
Ｎｂ：０％〜０．０５％、
Ｃａ：０％〜０．００２０％、
残部：鉄及び不純物
であり、
ＲＥＭ、Ｏ、及び、Ａｌを含む介在物にＴｉＮが付着した、最大径２μｍ以上の複合介在物を、０．００４個／ｍｍ２〜１０個／ｍｍ２含有し、前記複合介在物の最大径が４０μｍ以下であり、
最大径１０μｍ以上のアルミナクラスター、最大長１０μｍ以上のＭｎＳ、及び、最大径１μｍ以上のＴｉＮの合計の個数密度が１０個／ｍｍ2以下である
ことを特徴とするばね鋼。
【請求項２】
Ｃｒ：０．０５％以上、２．０％以下、
Ｃｕ：０．１％以上、０．５％以下、
Ｎｉ：０．１％以上、３．５％以下、
Ｍｏ：０．０５％以上、１．０％以下、
Ｗ：０．０５％以上、１．０％以下、
Ｂ：０．０００５％以上、０．００５％以下、
Ｖ：０．０５％以上、０．７％以下、
Ｎｂ：０．００５％以上、０．０５％以下、及び
Ｃａ：０．０００１％以上、０．００２０％以下
からなる群から選択された１種以上の元素を含有することを特徴とする請求項１に記載のばね鋼。
【請求項３】
請求項１に記載の化学組成の溶鋼を、真空脱ガスを含む取鍋精錬で製造する際、まず、Ａｌを用いて脱酸を行い、次いで、ＲＥＭを用いて、５分以上脱酸する工程と、
前記溶鋼を鋳型内で鋳造する際、前記鋳型内で、前記溶鋼を、水平方向に０．１ｍ／分以上で旋回させる工程と、
前記鋳造で得た鋳片を、均熱化処理で、１２５０〜１２００℃の温度域で６０秒以上保持し、その後、分塊圧延する工程と、
を備えることを特徴とする請求項１に記載のばね鋼の製造方法。
【請求項４】
請求項１に記載のばね鋼から成ることを特徴とするばね。
【発明の詳細な説明】
【技術分野】
【０００１】
本発明は、自動車の懸架装置などに使用されるばね用鋼とその製造方法とに関する。
本発明は特に、ＲＥＭ介在物の生成を制御して、アルミナ、ＴｉＮ、ＭｎＳ等の有害な介在物の悪影響を解消し、優れた耐疲労特性を有するばね鋼とその製造方法に関する。
【背景技術】
【０００２】
ばね鋼は、自動車の懸架装置の懸架ばね等に使用されるもので、高い疲労強度が要求される。
特に近年、排ガス低減や燃費改善を目的として、自動車の軽量化や高出力化の要望が高まり、エンジンやサスペンション等に用いられる懸架ばねは、高応力設計が志向されている。【０００３】
そのため、ばね鋼は、高強度化及び細径化していく方向にあり、負荷応力は益々増大することが予想されている。
このため、疲労強度がより高く、耐へたり性に一段と優れた高性能のばね鋼が求められている。【０００４】
ばね鋼の耐疲労特性や耐へたり性を損ねる原因のひとつに、鋼材中に存在する、アルミナやＴｉＮなどの硬質の非金属介在物、及び、ＭｎＳなどの粗大な介在物（以下、これらを介在物と呼称する）がある。
これらの介在物は応力の集中起点となり易い。【０００５】
また、懸架ばねの表面塗装が剥離して露出した素材表面が腐食し、付着した水分から水素が鋼中に侵入して疲労強度が低下する場合がある。
この場合、介在物が水素のトラップサイトとなって水素が鋼中に集積し易くなる。
このため、介在物自身と水素の影響が重畳して、疲労強度を低下させる原因となる。【０００６】
こうした観点から、ばね鋼の耐疲労特性や耐へたり性を改善するため、鋼材中に存在するアルミナ、ＭｎＳ、及び、ＴｉＮを極力低減することが必要である。【０００７】
アルミナ介在物は、転炉や真空処理容器で精錬された溶鋼中に多量の溶存酸素が含まれるために、この過剰酸素が酸素と親和力の強いＡｌにより脱酸されて生成する。
また、取鍋などは、アルミナ系耐火物で構築される場合が多い。
従って、Ａｌ脱酸でなく、ＳｉやＭｎで脱酸した場合においても、溶鋼と耐火物との反応により、耐火物であるアルミナが解離し、溶鋼中にＡｌとして溶出する。
そして、この溶出したＡｌが再酸化されて溶鋼中にアルミナが生成する。【０００８】
溶鋼中のアルミナ介在物は、凝集・合体してクラスター化し易い。
このクラスター化したアルミナ介在物は、製品に残留して疲労強度に重大な悪影響を及ぼす。【０００９】
そこで、アルミナ介在物の低減・除去のために、ＲＨ真空脱ガス装置や粉体吹き込み装置などの二次精錬装置の適用による脱酸生成物の低減を中心として、
（１）断気、スラグ改質などによる再酸化防止、
（２）スラグカットによる混入酸化物系介在物の低減
などの組合せにより介在物を低減し、高清浄化を図ってきた。【００１０】
一方、アルミナ系介在物を改質し微細化、無害化する技術としては、特許文献１に開示されるように、溶鋼中にＭｇ合金を添加することにより、アルミナを、スピネル（ＭｇＯ・Ａｌ2Ｏ3）又はＭｇＯに改質する方法が知られている。
この方法によれば、アルミナの凝集による粗大化を防止し、鋼材品質に対するアルミナの悪影響を回避することができる。【００１１】
ただし、この方法では、酸化物系介在物における結晶相の存在により熱間圧延時の軟質化や伸線加工時の介在物の破砕性が十分でない。
このため、介在物の小型化は不十分となる。【００１２】
これに対し、特許文献２では、鋼線材の長手方向縦断面における厚み２μｍ以上のＳｉＯ2−Ａｌ2Ｏ3−ＣａＯ系酸化物の平均組成を、ＳｉＯ2：３０〜６０％、Ａｌ2Ｏ3：１〜３０％、ＣａＯ：１０〜５０％とし、複合系酸化物の融点を、１４００℃以下、好ましくは１３５０℃以下に制御した上で、さらに、これらの酸化物に、Ｂ2Ｏ3：０．１〜１０％を含有させて、酸化物系介在物を微細に分散させ、伸線加工性や疲労強度を顕著に向上させることが提案されている。【００１３】
しかし、このようなＢ2Ｏ3の添加は、ＣａＯ−Ａｌ2Ｏ3−ＳｉＯ2やＣａＯ−Ａｌ2Ｏ3−ＳｉＯ2−ＭｇＯ2系複合酸化物の結晶化の抑制には有効であるが、ばね鋼の疲労蓄積源となり破壊起点となるアルミナクラスターやＴｉＮ、ＭｎＳの抑制又は無害化には有用であるとはいえない。【００１４】
また、酸可溶Ａｌで０．００５質量％以上を含有するＡｌキルド鋼を製造するにあたり、溶鋼中に、Ｃａ、Ｍｇ及びＲＥＭの２種以上とＡｌとからなる合金を投入し、生成する介在物中のＡｌ2Ｏ3を３０〜８５質量％に調整するクラスターのないＡｌキルド鋼の製造方法が知られている。【００１５】
例えば、特許文献３に開示されるように、ＲＥＭを添加する場合、アルミナクラスター生成防止のため、ＲＥＭ、Ｍｇ、Ｃａから選択された２種以上を添加することにより、低融点の複合介在物とする。
この技術は、スリバー疵防止には有効かもしれないが、介在物を、ばね鋼で要求されるレベルのサイズまで低減することはできない。
これは、低融点介在物にすると、これら介在物が凝集・合体して、より粗大化してしまうからである。【００１６】
ＲＥＭの０．０１０質量％を超える添加は介在物を増加させ、かえって、疲労寿命を低下させるので、例えば、特許文献４に開示されるように、ＲＥＭ添加量を０．０１０質量％以下にする必要があることも知られている。
しかし、特許文献４には、そのメカニズムや介在物の組成及び存在状態については開示されていない。【００１７】
また、ＭｎＳなどの硫化物は、圧延などの加工により延伸し、疲労蓄積源となって破壊起点となり、耐疲労特性を劣化させる。
よって、耐疲労特性を改善するため、延伸する硫化物を抑制する必要がある。
硫化物の生成を防止する方法として、Ｃａを添加して脱硫する方法が知られている。
しかし、Ｃａの添加により形成されるＡｌ−Ｃａ−Ｏは延伸し易く、疲労蓄積源や破壊起点となり易いという問題がある。【００１８】
また、ＴｉＮは、非常に硬質でかつ尖った形状で析出するため、疲労蓄積源となって破壊起点となり、耐疲労特性に対して影響が大きい。【００１９】
例えば、特許文献５に開示されるように、Ｔｉが０．００１質量％を超えると耐疲労特性が悪化する。
その対策として、Ｔｉを０．００１質量％以下に調整することが重要であるが、Ｔｉは、Ｓｉ合金に含まれており、不純物として混入を避けられない。
また、Ｎを溶鋼段階で混入させないことも必要となるが、製鋼コストが高くなってしまい現実的ではない。
【先行技術文献】
【特許文献】
【００２０】
【特許文献１】日本国特開平０５−３１１２２５号公報
【特許文献２】日本国特開２００９−２６３７０４号公報
【特許文献３】日本国特開平０９−２６３８２０号公報
【特許文献４】日本国特開平１１-２７９６９５号公報
【特許文献５】日本国特開２００４−２７７７７７号公報
【発明の概要】
【発明が解決しようとする課題】
【００２１】
本発明の目的は、ばね鋼の耐疲労特性を損ねるアルミナ、ＴｉＮ、及び、ＭｎＳを無害化して、耐疲労特性に優れたばね鋼とその製造方法を提供することにある。
【課題を解決するための手段】
【００２２】
本発明の要旨は、次の通りである。【００２３】
（１）本発明の第一の態様は、化学組成が、質量％で、Ｃ：０．４％〜０．９％未満、Ｓｉ：１．０％〜３．０％、Ｍｎ：０．１％〜２．０％、Ａｌ：０．０１％〜０．０５％、ＲＥＭ：０．０００１％〜０．００５％、Ｔ．Ｏ：０．０００１％〜０．００３％、Ｔｉ：０．００５％未満、Ｎ：０．０１５％以下、Ｐ：０．０３％以下、Ｓ：０．０３％以下、Ｃｒ：０％〜２．０％、Ｃｕ：０％〜０．５％、Ｎｉ：０％〜３．５％、Ｍｏ：０％〜１．０％、Ｗ：０％〜１．０％、Ｂ：０％〜０．００５％、Ｖ：０％〜０．７％、Ｎｂ：０％〜０．０５％、Ｃａ：０％〜０．００２０％、残部：鉄及び不純物であり、ＲＥＭ、Ｏ、及び、Ａｌを含む介在物にＴｉＮが付着した、最大径２μｍ以上の複合介在物を、０．００４個／ｍｍ２〜１０個／ｍｍ２含有し、前記複合介在物の最大径が４０μｍ以下であり、最大径１０μｍ以上のアルミナクラスター、最大長１０μｍ以上のＭｎＳ、及び、最大径１μｍ以上のＴｉＮの合計の個数密度が１０個／ｍｍ2以下のばね鋼である。
（２）上記（１）に記載のばね鋼は、Ｃｒ：０．０５％以上、２．０％以下、Ｃｕ：０．１％以上、０．５％以下、Ｎｉ：０．１％以上、３．５％以下、Ｍｏ：０．０５％以上、１．０％以下、Ｗ：０．０５％以上、１．０％以下、Ｂ：０．０００５％以上、０．００５％以下、Ｖ：０．０５％以上、０．７％以下、Ｎｂ：０．００５％以上、０．０５％以下、及びＣａ：０．０００１％以上、０．００２０％以下からなる群から選択された１種以上の元素を含有してもよい。
（３）本発明の第二の態様は、上記（１）に記載の化学組成の溶鋼を、真空脱ガスを含む取鍋精錬で製造する際、まず、Ａｌを用いて脱酸を行い、次いで、ＲＥＭを用いて、５分以上脱酸する工程と、前記溶鋼を鋳型内で鋳造する際、前記鋳型内で、前記溶鋼を、水平方向に０．１ｍ／分以上で旋回させる工程と、前記鋳造で得た鋳片を、均熱化処理で、１２５０〜１２００℃の温度域で６０秒以上保持し、その後、分塊圧延する工程と、を備える上記（１）に記載のばね鋼の製造方法である。
（４）本発明の第三の態様は、上記（１）に記載のばね鋼から成るばねである。
【発明の効果】
【００２４】
上記態様によれば、ばね鋼において、アルミナをＲＥＭ−Ａｌ−Ｏ介在物に改質して粗大化を防止でき、かつ、ＳをＲＥＭ−Ａｌ−Ｏ−Ｓ介在物として固定化して粗大ＭｎＳを抑制し、さらに、ＲＥＭ−Ａｌ−Ｏ介在物又はＲＥＭ−Ａｌ−Ｏ−Ｓの介在物にＴｉＮを複合させることにより有害な単独のＴｉＮの個数密度を減らすことができるので、耐疲労特性に優れたばね鋼を提供することができる。
【図面の簡単な説明】
【００２５】
【図１】本発明のばね鋼中に観察された、ＲＥＭ−Ａｌ−Ｏ介在物にＴｉＮが複合析出した複合介在物の例を示す図である。
【発明を実施するための形態】
【００２６】
本発明者らは、従来技術の問題点を解決するために、鋭意実験、検討を重ねた。
その結果、ばね鋼における有害介在物の抑制と形態を制御するため、ＲＥＭの含有量を調整するとともに、脱酸プロセス及びばね鋼製造プロセスを制御することにより、アルミナをＲＥＭ、Ｏ、及びＡｌを含む酸化物（以下「ＲＥＭ−Ａｌ−Ｏ」ということがある。）へと改質して酸化物の粗大化を防止でき、かつ、ＳをＲＥＭ、Ｏ、Ｓ、及び、Ａｌを含む酸硫化物（以下「ＲＥＭ−Ａｌ−Ｏ−Ｓ」ということがある。）として固定化して粗大ＭｎＳを抑制し、さらに、ＲＥＭ−Ａｌ−Ｏの介在物又はＲＥＭ−Ａｌ−Ｏ−Ｓの介在物にＴｉＮを複合させることにより有害なＴｉＮの個数密度を減らすことができることを見出した。
【００２７】
以下に、上述の知見に基づきなされた本発明の実施形態に係る耐疲労特性に優れたばね鋼とその製造方法とを詳細に説明する。
【００２８】
まず、本実施形態に係るばね鋼の成分組成とその限定理由について説明する。
なお、下記の元素の含有量に関する％は質量％を意味する。
【００２９】
Ｃ：０．４％以上、０．９％未満
Ｃは、強度を確保するのに有効な元素である。
しかし、Ｃ含有量が０．４％未満の場合、最終ばね製品に高い強度を付与することが困難である。
一方、Ｃ含有量が０．９％以上となると、熱間圧延後の冷却過程で初析セメンタイトが過剰に生成して、加工性が著しく劣化する。
【００３０】
したがって、Ｃ含有量は、０．４％以上、０．９％未満とする。
Ｃ含有量は、好ましくは０．４５％以上、より好ましくは０．５％以上である。
また、Ｃ含有量は、好ましくは、０．７％以下、より好ましく０．６％以下である。
【００３１】
Ｓｉ：１．０％以上、３．０％以下
Ｓｉは、焼入れ性を高めて疲労寿命を向上させるのに有効な元素であり、１．０％以上含有させる必要がある。
一方、Ｓｉ含有量が３．０％を超えると、パーライト中のフェライト相の延性が低下する。
【００３２】
Ｓｉには、ばねにおいて重要な耐へたり特性を高める作用もあるが、Ｓｉ含有量が３．０％を超えると、その効果は飽和してコストが嵩み、また、脱炭を助長する。
したがって、Ｓｉ含有量は、１．０％以上、３．０％以下とする。
Ｓｉ含有量は、好ましくは、１．２％以上、より好ましくは１．３％以上である。
また、Ｓｉ含有量は、好ましくは２．０％以下、より好ましくは１．９％以下である。
【００３３】
Ｍｎ：０．１％以上、２．０％以下
Ｍｎは、脱酸及び強度確保のために有効な元素であり、０．１％未満の含有量では、その効果が発現しない。
一方、Ｍｎ含有量が２．０％を超えると、偏析が生じ易くなり、偏析部にミクロマルテンサイトが生成して、加工性及び耐疲労特性が劣化する。
したがって、Ｍｎ含有量は、０．１％以上、２．０％以下とする。
Ｍｎ含有量は、好ましくは、０．２％以上、より好ましくは０．３％以上である。
また、Ｍｎ含有量は、好ましくは１．５％以下、より好ましくは１．４％以下である。
【００３４】
ＲＥＭ：０．０００１％以上、０．００５％以下
ＲＥＭは、強力な脱硫、脱酸元素であり、本実施形態に係るばね鋼において、極めて重要な役割を果たす。
ここで、ＲＥＭとは、原子番号が５７のランタンから７１のルテシウムまでの１５元素に、原子番号２１のスカンジウムと原子番号３９のイットリウムを加えた合計１７元素の総称である。
【００３５】
ＲＥＭは、まず、鋼中のアルミナと反応し、アルミナ中のＯを奪い、ＲＥＭ−Ａｌ−Ｏ介在物が生成する。次いで、鋼中のＳを吸収して、ＲＥＭ−Ａｌ−Ｏ−Ｓ介在物が生成する。
【００３６】
本実施形態に係るばね鋼におけるＲＥＭの機能は以下の通りである。
アルミナをＲＥＭ、Ｏ、及びＡｌを含むＲＥＭ−Ａｌ−Ｏへと改質して酸化物の粗大化を防止する。
Ａｌ、ＲＥＭ、Ｏ、及び、Ｓを含むＲＥＭ−Ａｌ−Ｏ−Ｓの形成により、Ｓを固定化して粗大ＭｎＳの生成を抑制する。
また、ＲＥＭ−Ａｌ−Ｏ又はＲＥＭ−Ａｌ−Ｏ−Ｓを核生成サイトとしてＴｉＮが複合析出して、ＲＥＭ−Ａｌ−Ｏ−（ＴｉＮ）又はＲＥＭ−Ａｌ−Ｏ−Ｓ−（ＴｉＮ）を主たる構造とする略球状の複合介在物が形成され、硬質で尖がった角型形状の単独のＴｉＮの析出量を低減する。
【００３７】
ここで、（ＴｉＮ）は、ＲＥＭ−Ａｌ−Ｏ又はＲＥＭ−Ａｌ−Ｏ−Ｓの表面にＴｉＮが付着して複合化されていることを表す。
【００３８】
このＲＥＭ−Ａｌ−Ｏ−（ＴｉＮ）又はＲＥＭ−Ａｌ−Ｏ−Ｓ−（ＴｉＮ）を主たる構造とする複合介在物は、ＴｉＮの単独析出物と異なり、例えば、図１に示すように略球状化していて、複合介在物の周囲で応力集中し難い。
また、ＲＥＭ−Ａｌ−Ｏ−（ＴｉＮ）又はＲＥＭ−Ａｌ−Ｏ−Ｓ−（ＴｉＮ）複合介在物は、大きさが直径で１〜５μｍであり、延伸粗大化やクラスター化はしていない。
このため、破壊起点とならないので、無害介在物である。
【００３９】
ここで、略球状とは、例えば、図１に示すように、介在物表面の最大凹凸が０．５μｍ以下であり、かつ、介在物の長径を短径で割った値が３以下であることを意味する。
なお、ＴｉＮが複合析出する理由は、ＲＥＭ−Ａｌ−Ｏ又はＲＥＭ−Ａｌ−Ｏ−Ｓの結晶格子構造とＴｉＮとの結晶格子構造に類似する点が多いためと推察される。
【００４０】
本実施形態に係るばね鋼のＲＥＭ−Ａｌ−Ｏ又はＲＥＭ−Ａｌ−Ｏ−Ｓに、Ｔｉは酸化物として含まれない。
これは、本実施形態に係るばね鋼のＴ．Ｏ（全酸素量）が低く、Ｔｉ酸化物の生成が極めて少ないためであると考えられる。
また、介在物にＴｉが酸化物として含まれないので、ＲＥＭ−Ａｌ−Ｏ又はＲＥＭ−Ａｌ−Ｏ−Ｓの結晶格子構造とＴｉＮの結晶格子構造が類似した関係になったと考えられる。
【００４１】
さらに、ＲＥＭは、アルミナをＲＥＭ−Ａｌ−Ｏに改質して凝集合体を抑制することにより、粗大なアルミナクラスターを防止する機能を有する。
【００４２】
以上の効果を発現させるためには、鋼に一定量以上のＲＥＭを含有させて、アルミナをＲＥＭ−Ａｌ−Ｏに改質する必要がある。
また、Ｓ量に応じて、一定量以上のＲＥＭを鋼に含有させて、ＲＥＭ−Ａｌ−Ｏ−Ｓ介在物を形成して、Ｓを固定する必要がある。
【００４３】
これらの観点から検討した結果、ＲＥＭが０．０００１％未満では不十分であることを実験的に知見した。
従って、ＲＥＭ含有量は０．０００１％以上、好ましくは０．０００２％以上、より好ましくは０．００１％以上、更に好ましくは０．００２％以上とする。
一方、ＲＥＭ含有量が０．００５％を超えると、不安定な付着物が耐火物から脱落することによって粗大な介在物が製品に混入しやすくなり、製品の疲労強度が低下する。
従って、ＲＥＭ含有量は、０．００５％以下、好ましくは０．００４％以下、より好ましくは０．００３％以下とする。
【００４４】
Ａｌ：０．０１％以上、０．０５％以下
Ａｌは、トータル酸素を低減する脱酸元素として、また、鋼の結晶粒を調整する元素として、０．０１％以上、好ましくは０．０２％以上必要である。
しかし、０．０５％を超えると、結晶粒調整効果が飽和するだけでなく、アルミナが多数残存するので好ましくない。
【００４５】
Ｔ．Ｏ（全酸素量）：０．００３％以下
Ｏは、脱酸により鋼から除去される不純物元素であるが、残存することは避けられない。Ｏは、ＲＥＭ−Ａｌ−Ｏ−（ＴｉＮ）又はＲＥＭ−Ａｌ−Ｏ−Ｓ−（ＴｉＮ）を主たる構造とする複合介在物を生成させる。
ただし、Ｔ．Ｏが多くなり、特に０．００３％を超えると、アルミナなどの酸化物が多数発生し、疲労寿命が低下する。
【００４６】
本実施形態に係るばね鋼において、Ｔｉ、Ｎ、Ｐ、及び、Ｓは不純物であり、以下のように制限される。
【００４７】
Ｔｉ：０．００５％未満
Ｔｉは、Ｓｉ合金などから混入する不純物であり、ＴｉＮなどの角型形状の粗大介在物を形成する。
この粗大介在物は、破壊起点になり易く、また、水素のトラッピングサイトになり易いため、耐疲労特性を劣化させる。
それ故、上記角型形状の粗大介在物の生成を抑制することが非常に重要である。
【００４８】
本実施形態に係るばね鋼においては、ＲＥＭ−Ａｌ−Ｏ又はＲＥＭ−Ａｌ−Ｏ−ＳにＴｉＮを複合化させ、有害な単独のＴｉＮを生成し難くすることができる。
実験的に検討した結果、単独ＴｉＮの生成を防止するため、Ｔｉ含有量は０．００５％未満に制限する。
Ｔｉ含有量は、好ましくは０．００３％以下である。
Ｔｉ含有量の下限は０％を含むが、工業的に安定して低減することは難しく、０．０００５％が工業的下限である。
【００４９】
Ｎ：０．０１５％以下
Ｎは、不純物であり、窒化物を形成して耐疲労特性を劣化させ、また、歪時効によって延性及び靭性に悪影響を及ぼす。
Ｎ含有量は、０．０１５％を超えると、弊害が顕著となるので、０．０１５％以下、好ましくは０．０１０％以下、さらに好ましくは０．００８％以下に制限する。
Ｎ含有量の下限は０％を含むが、工業的に安定して低減することは難しく、０．００２％が工業的下限である。
【００５０】
Ｐ：０．０３％以下
Ｐは、不純物であり、結晶粒界に偏析して疲労寿命を損ねる元素である。
Ｐ含有量が０．０３％を超えると、疲労寿命の低下が著しいので、０．０３％以下、好ましくは０．０２％以下に制限する。
Ｐ含有量の下限は０％を含むが、工業的に安定して低減することは難しく、０．００１％が工業的下限である。
【００５１】
Ｓ：０．０３％以下
Ｓは、不純物であり、硫化物を形成する元素である。
Ｓ含有量は、０．０３％を超えると、粗大なＭｎＳが生成し、疲労寿命を損ねるので、０．０３％以下、好ましくは０．０１％以下に制限する。
Ｓ含有量の下限は０％を含むが、工業的に安定して低減することは難しく、０．００１％が工業的下限である。
【００５２】
以上が本実施形態に係るばね鋼の基本的な成分組成であり、残部は、鉄及び不純物のみからなる。
なお、「残部は、鉄及び不純物のみからなる」における「不純物」とは、鋼を工業的に製造する際に、原料としての鉱石、スクラップ、または製造環境などから混入するものを指す。
ただし、上述の元素に加え、以下の元素を選択的に含有してもよい。
以下、選択元素について説明する。
【００５３】
本実施形態に係るばね鋼は、Ｃｒ：２．０％以下、Ｃｕ：０．５％以下、Ｎｉ：３．５％以下、Ｍｏ：１．０％以下、Ｗ：１．０％以下、及び、Ｂ：０．００５％以下の１種以上を含有してもよい。
【００５４】
Ｃｒ：２．０％以下
Ｃｒは、強度を向上させ、また、焼入れ性を高めて疲労寿命を向上させるのに有効な元素である。
焼入れ性や焼戻し軟化抵抗を必要とする場合に、Ｃｒを０．０５％以上含有させるとその効果を安定して発揮させることができる。
特に、優れた焼戻し軟化抵抗を得るためには、Ｃｒを０．５％以上、好ましくは０．７％以上含有させる。
【００５５】
一方、Ｃｒは、含有量が２．０％を超えると鋼材の硬さが上昇して冷間加工性が劣化するので、２．０％以下の含有量とする。
特に、冷間でコイリングする場合、その加工での安定性を高めるには、１．５％以下のＣｒ含有量が好ましい。
【００５６】
Ｃｕ：０．５％以下
Ｃｕは、焼入れ性に影響するが、それ以上に、耐食性や脱炭抑制に効果のある元素である。
Ｃｕ含有量が０．１％以上、好ましくは０．２％以上であれば、腐食や脱炭を抑制する効果が発現する。
【００５７】
しかし、Ｃｕを多量に含有すると熱間延性の低下を招き、鋳造、圧延や鍛造などの製造工程での割れや疵の原因となるので、Ｃｕ含有量は０．５％以下、好ましくは、０．３％以下とする。
Ｃｕによる熱間延性の低下は、後述の通り、Ｎｉを含有させることで緩和することができ、Ｃｕ含有量≦Ｎｉ含有量とすると、熱間延性の低下を抑制し、良品質を維持することができる。
【００５８】
Ｎｉ：３．５％以下
Ｎｉは、鋼の強度及び焼入れ性の向上に有効な元素である。Ｎｉ含有量を０．１％以上とすることで、この効果が発現する。
【００５９】
Ｎｉは、焼入れ後の残留オーステナイト量にも影響し、Ｎｉ含有量が３．５％を超えると、残留オーステナイト量が大きくなり、焼入れ後も軟質のままで、ばねとしての性能が不足する場合がある。  
このように、Ｎｉ含有量が３．５％超になると、製品材質の不安定を招くので、Ｎｉ含有量は３．５％以下とする。
【００６０】
加えて、Ｎｉは高価な元素であり、製造コストの観点から抑制することが好ましい。
残留オーステナイトや焼入れ性の観点から、Ｎｉ含有量は２．５％以下がより好ましく、１．０％以下がさらに好ましい。
【００６１】
Ｃｕを含有した場合、Ｎｉは、その弊害を抑制する効果がある。
即ち、Ｃｕは、鋼の熱間延性を低下させる元素であり、しばしば熱間圧延や熱間鍛造において割れや疵の原因になる。
【００６２】
しかし、Ｎｉを含有すると、Ｃｕとの合金相を形成し熱間延性の低下を抑制する。
Ｃｕが混入している場合、Ｎｉ含有量は０．１％以上が好ましく、さらに、０．２％以上が好ましい。
また、Ｃｕとの関係においては、Ｃｕ含有量≦Ｎｉ含有量が好ましい。
【００６３】
Ｍｏ：１．０％以下
Ｍｏは、焼入れ性を高める元素であり、また、焼戻し軟化抵抗の向上にも有効な元素である。
特に、焼戻し軟化抵抗を高めるためには、Ｍｏ含有量を０．０５％以上とする。Ｍｏは、鋼中でＭｏ系炭化物を生成する元素でもある。
【００６４】
Ｍｏ系炭化物が析出する温度は、Ｖ等の炭化物に比べると低く、比較的低温で焼戻す高強度のばね鋼に対して有効な元素である。
この効果は、０．０５％以上のＭｏ含有量で発現する。Ｍｏ含有量は、好ましくは、０．１％以上である。
【００６５】
一方、Ｍｏ含有量が１．０％を超えると、熱間圧延や、加工前の熱処理での冷却時に過冷組織を生じ易くなる。
置き割れや加工時の割れの原因となる過冷組織の生成を抑制するため、Ｍｏ含有量は１．０％以下、好ましくは、０．７５％以下とする。
【００６６】
また、ばね製造時の品質のばらつきを抑制し、製造安定性を確保することを重視すると、Ｍｏ含有量は０．５％以下が好ましい。
さらに、冷却時の温度ばらつき−変態ひずみを精密に制御して形状精度を安定させるためには、Ｍｏ含有量は０．３％以下が好ましい。
【００６７】
Ｗ：１．０％以下
Ｗは、Ｍｏと同様、焼入れ性及び焼戻し軟化抵抗の向上に有効な元素であり、かつ、鋼中で炭化物として析出する元素である。
特に、高い焼戻し軟化抵抗を得るためには、Ｗ含有量を０．０５％以上、好ましくは、０．１％以上とする。
【００６８】
一方、Ｗ含有量が１．０％を超えると、熱間圧延や、加工前の熱処理での冷却時に過冷組織が生じ易くなる。
置き割れや加工時の割れの原因となる過冷組織の生成を抑制するため、Ｗ含有量は１．０％以下、好ましくは、０．７５％以下とする。
【００６９】
Ｂ：０．００５％以下
Ｂは、微量の含有量で、鋼材の焼入れ性を高める元素である。
また、母材が高Ｃ材である場合、Ｂは、熱間圧延後の冷却過程でボロン鉄炭化物を生成し、フェライトの成長速度を増加させ、軟質化を促進する。
【００７０】
さらに、Ｂは、０．０００５％以上含有させることにより、オーステナイト粒界に偏析してＰの偏析を抑制するので、粒界強度を向上させ、これにより、疲労強度、衝撃強度の向上にも寄与する。
【００７１】
しかし、Ｂ含有量は、０．００５％を超えると、その効果が飽和し、鋳造、圧延、及び、鍛造などの製造時に、マルテンサイトやベイナイトなどのいわゆる過冷組織が生成し易く、製品の製造性や衝撃強度を劣化させることがあるので、０．００５％以下、好ましくは、０．００３％以下とする。
【００７２】
本実施形態に係るばね鋼は、さらに、質量％で、Ｖ：０．７％以下、及び、Ｎｂ：０．０５％以下の１種以上を含有してもよい。
【００７３】
Ｖ：０．７％以下
Ｖは、鋼中のＣ、Ｎと結びついて、窒化物、炭化物、炭窒化物を生成する元素で、通常、円相当径が０．２μｍ未満の微細なＶの窒化物、炭化物、炭窒化物となり、焼戻し軟化抵抗の向上、降伏点の上昇、及び、旧オーステナイトの微細化に有効である。
【００７４】
Ｖは、焼戻しにより鋼材中に十分に析出させると、硬度や引張強度を上昇させることができるので、必要に応じて含有させる選択元素とする。
これらの効果を得るためには、Ｖ含有量を０．０５％以上、好ましくは、０．０６％以上とする。
【００７５】
一方、Ｖ含有量が０．７％を超えると、炭化物や炭窒化物が、焼入れ前の加熱でも十分に溶解せず、粗大な球状炭化物として、いわゆる未溶解炭化物として残留し、加工性や耐疲労特性を損なうので、０．７％以下とする。
【００７６】
Ｖを過剰に含有させると、加工前に、割れや伸線時の断線の原因となる過冷組織が生じ易くなるので、Ｖ含有量は０．５％以下が好ましい。
ばね製造時の品質のばらつきを抑制し、製造安定性を確保することを重視すると、Ｖ含有量は０．３％以下が好ましい。
【００７７】
また、Ｖは、残留オーステナイトの生成に大きく影響する元素であるので、精密に制御する必要がある。
即ち、他の焼入れ性向上元素、例えば、Ｍｎ、Ｎｉ、Ｍｏ、及び、Ｗの１種以上を含有する場合、Ｖ含有量は０．２５％以下が好ましい。
【００７８】
Ｎｂ：０．０５％以下
Ｎｂは、鋼中のＣ、Ｎと結びついて、窒化物、炭窒化物、炭化物を生成する。
Ｎｂは、微量でも、Ｎｂを含有しない場合に比べて、粗大粒の生成抑制に極めて有効である。
このような効果はＮｂ含有量を０．００５％以上とすることで発現する。
【００７９】
一方、Ｎｂは、熱間延性を低下させる元素であり、過剰に含有すると、鋳造、圧延、鍛造における割れの原因となり、製造性を大きく損なう。
そのため、Ｎｂ含有量は０．０５％以下とする。
さらに、冷間コイリング性等の加工性を重視する場合には、Ｎｂ含有量を０．０３％未満、さらには、０．０２％未満とすることが好ましい。
【００８０】
本実施形態に係るばね鋼は、さらに、質量％で、Ｃａ：０．００２０％以下を含有してもよい。
【００８１】
Ｃａ：０．００２０％以下
Ｃａは、強力な脱硫作用を有し、ＭｎＳの生成を抑制するには効果があるため、脱硫の目的で、０．０００１％以上含有してもよい。
しかしながら、Ｃａは、鋼中のＲＥＭ−Ａｌ−Ｏ介在物又はＲＥＭ−Ａｌ−Ｏ−Ｓ介在物がＣａを吸収し、ＲＥＭ−Ｃａ−Ａｌ−Ｏ又はＲＥＭ−Ｃａ−Ａｌ−Ｏ−Ｓを形成する。
【００８２】
ＲＥＭ−Ａｌ−Ｏ及びＲＥＭ−Ａｌ−Ｏ−Ｓに比べて、ＲＥＭ−Ｃａ−Ａｌ−Ｏ及びＲＥＭ−Ｃａ−Ａｌ−Ｏ−Ｓは、酸素含有量の多い酸化物主体の場合にはその大きさが大きくなる傾向にある。さらに、ＲＥＭ−Ｃａ−Ａｌ−Ｏ及びＲＥＭ−Ｃａ−Ａｌ−Ｏ−Ｓは、ＴｉＮを複合析出させる能力が劣るので、ＴｉＮの無害化の観点からは、Ｃａは少ない方が好ましい。
この理由は、ＲＥＭ−Ｃａ−Ａｌ−Ｏ及びＲＥＭ−Ｃａ−Ａｌ−Ｏ−Ｓは、ＲＥＭ−Ａｌ−Ｏ及びＲＥＭ−Ａｌ−Ｏ−Ｓに比べて、ＴｉＮとの結晶格子構造の類似性が劣るためと推定される。
【００８３】
また、鋼中のＣａ含有量が０．００２０％を超えると、低融点のＡｌ−Ｃａ−Ｏ酸化物が多く生成し、圧延などにより延伸して粗大な介在物となり、疲労蓄積源や破壊起点となる。
それ故、Ｃａは選択元素とし、０．０００１％以上、０．００２０％以下とする。
【００８４】
次に、介在物による疲労寿命への影響について説明する。
本発明者らは、鋭意検討の結果、
（１）図１に示すように、ＲＥＭ、Ｏ、及び、Ａｌを含む介在物、又はＲＥＭ、Ｏ、Ｓ、及び、Ａｌを含む介在物にＴｉＮが付着した、最大径２μｍ以上の複合介在物を、０．００４個／ｍｍ２以上含有することにより、単独で析出するＴｉＮの生成が抑制され、疲労寿命の向上が図れること、
（２）但し、上記の複合介在物であっても、その円相当径が４０μｍを超える寸法のものが観察されるようになると、疲労強度が低下する傾向にあること、及び、
（３）上記の複合介在物とは別に単独で存在する、疲労寿命に及ぼす悪影響が等価である下記の介在物（ａ）、（ｂ）、（ｃ）の合計数が１０個／ｍｍ2以下であれば、良好な疲労寿命が得られること、
を実験的に知見した。
（ａ）最大長１０μｍ以上のＭｎＳ（延伸したＭｎＳ）
（ｂ）最大径１０μｍ以上のアルミナクラスター
（ｃ）最大径１μｍ以上のＴｉＮ（単独のＴｉＮ）
【００８５】
本実施形態に係るばね鋼中では、アルミナがＲＥＭ−Ａｌ−Ｏに改質されるので、耐疲労特性などに有害なアルミナクラスターの生成が抑制される。
また、ＳがＲＥＭ−Ａｌ−Ｏ−Ｓとして固定されるため、延伸して、耐疲労特性などを劣化させるＭｎＳの生成が抑制される。
【００８６】
さらに、例えば、図１に示すように、ＲＥＭ−Ａｌ−Ｏ−ＳにＴｉＮが複合化し、ＲＥＭ−Ａｌ−Ｏ−Ｓ−（ＴｉＮ）を主たる構造とする略球状の複合介在物が生成するので、疲労寿命に悪影響を及ぼす単独で析出するＴｉＮの生成が抑制される。
【００８７】
その結果、（ａ）最大長１０μｍ以上のＭｎＳ（延伸したＭｎＳ）、（ｂ）最大径１０μｍ以上のアルミナクラスター、及び（ｃ）最大径１μｍ以上のＴｉＮ（単独のＴｉＮ）、の合計の個数密度が１０個／ｍｍ2以下に抑制され、疲労寿命が改善される。
【００８８】
次に、本実施形態に係るばね鋼の製造方法について説明する。
【００８９】
本実施形態に係るばね鋼用の溶鋼を精錬する際、脱酸剤の投入順序と脱酸時間が重要である。
本製造方法においては、まず、Ａｌを用いて脱酸を行い、Ｔ．Ｏ（全酸素量）を０．００３％以下とする。
次いで、ＲＥＭを用いて５分以上脱酸して、真空脱ガスを含む取鍋精錬を行う。
【００９０】
ＲＥＭでの脱酸に先立って、Ａｌ以外の元素を用いて脱酸すると、酸素量を安定して下げることができない。また、Ａｌを用いた脱酸後に、ＲＥＭを用いて脱酸することで、ＲＥＭ−Ａｌ−Ｏ又はＲＥＭ−Ａｌ−Ｏ−Ｓに、ＴｉＮが付着した複合介在物が生成しやすくなる。
また、ＲＥＭの添加後５分未満の脱酸では、アルミナを充分に改質することができない。
本製造方法においては、上記の順序で脱酸剤を添加することにより、ＲＥＭ−Ａｌ−Ｏ介在物が生成し、有害なアルミナの生成が抑制される。
【００９１】
ＲＥＭの添加にはミッシュメタル（希土類元素の混合物）などを用いることができ、例えば塊状のミッシュメタルを溶鋼に添加すればよい。
なお、精錬末期に、Ｃａ−Ｓｉ合金又はＣａＯ−ＣａＦ2フラックスなどの添加により、Ｃａによる脱硫を適宜行うことも可能である。
【００９２】
取鍋精錬された溶鋼中の、脱酸で生じたＲＥＭ−Ａｌ−Ｏ又はＲＥＭ−Ａｌ−Ｏ−Ｓは、比重が約６であり、鋼の比重の７に近いため、溶鋼中で浮上分離し難い。
それ故、鋳型内に溶鋼が注入された際には下降流により鋳片未凝固層深くまで侵入して、鋳片の中心部に偏析し易い。
【００９３】
鋳片の中心部に、ＲＥＭ−Ａｌ−Ｏ又はＲＥＭ−Ａｌ−Ｏ−Ｓが偏析すると、鋳片の表層部にＲＥＭ−Ａｌ−Ｏ又はＲＥＭ−Ａｌ−Ｏ−Ｓが不足するため、ＲＥＭ−Ａｌ−Ｏ又はＲＥＭ−Ａｌ−Ｏ−ＳにＴｉＮが付着した複合介在物を生成することが困難になる。したがって、ＴｉＮの無害化効果が、製品の表層部で損なわれる。
そこで、ＲＥＭ−Ａｌ−Ｏ及びＲＥＭ−Ａｌ−Ｏ−Ｓの偏析を防止するために、本製造方法では、鋳型内の溶鋼を水平方向に撹拌して旋回させ、介在物の均一分散を図る。
【００９４】
本製造方法においては、鋳型内旋回を０．１ｍ／分以上の流速で行い、ＲＥＭ−Ａｌ−Ｏ及びＲＥＭ−Ａｌ−Ｏ−Ｓの均一分散を図る。
鋳型内旋回の速度が０．１ｍ／分未満では、ＲＥＭ−Ａｌ−Ｏ及びＲＥＭ−Ａｌ−Ｏ−Ｓが均一に分散する効果が小さい。
撹拌手段としては、例えば、電磁力などを適用すればよい。
【００９５】
次に、鋳造した鋼に均熱化処理を施し、その後、分塊圧延を行う。
均熱化処理においては、１２５０〜１２００℃の温度域で６０秒以上保持して、上述の複合介在物を得ることができる。
【００９６】
この温度域が、ＲＥＭ−Ａｌ−Ｏ及びＲＥＭ−Ａｌ−Ｏ−ＳへのＴｉＮの複合析出が開始する範囲であり、この温度域で、ＴｉＮをＲＥＭ−Ａｌ−Ｏ又はＲＥＭ−Ａｌ−Ｏ−Ｓの表面で充分に成長させる。単独で析出するＴｉＮを抑制するためには、１２５０〜１２００℃の温度域で６０秒以上の保持が必要である。
このことを、本発明者らは実験的に知見した。
【００９７】
なお、通常は、１２５０〜１２００℃の温度で加熱すると、ＴｉＮは固溶する。
しかし、本実施形態に係るばね鋼では、Ｃが、０．４％以上、０．９％未満と高いために、セメンタイトが多く存在するので、セメンタイト中のＮの溶解度が低く、この関係で、ＴｉＮが、ＲＥＭ−Ａｌ−Ｏ又はＲＥＭ−Ａｌ−Ｏ−Ｓ上に析出成長することが考えられる。
【００９８】
ばねの成形法として、熱間成形法及び冷間成形法の二種類が用いられる。
熱間成形法は、分塊圧延および線材圧延で線材を製造した後、真円度を整えるためにわずかな伸線加工を行い鋼線とする。そして、鋼線を加熱して９００〜１０５０℃の熱間でばね形状に成形した後、８５０〜９５０℃での焼入れと、４２０〜５００℃での焼戻しの熱処理により、強度を調整する。
【００９９】
一方、冷間成形法は、分塊圧延および線材圧延の後、真円度を整えるためにわずかな伸線加工を行い鋼線とする。そして、ばね形状に成形するに先立ち、鋼線を加熱して８５０〜９５０℃での焼入れと、４２０〜５００℃での焼戻しの熱処理により鋼線の強度を調整する。その後、室温でばね形状に成形を行う。
【０１００】
この後、必要に応じてショットピーニングを行い、また、メッキや樹脂塗装などを表面に施し、製品とする。
【実施例】
【０１０１】
次に、本発明の実施例について説明するが、実施例での条件は、本発明の実施可能性及び効果を確認するために採用した一条件例であり、本発明は、この一条件例に限定されるものではない。
本発明は、本発明の要旨を逸脱せず、本発明の目的を達成する限りにおいて、種々の条件を採用し得るものである。【０１０２】
取鍋精錬での真空脱ガスにおいて、金属Ａｌ、ミッシュメタル、Ｃａ−Ｓｉ合金、ＣａＯ：ＣａＦ2＝５０：５０（質量比）のフラックスを使用して、表１に示す条件で精錬し、表２、表３に示す成分組成からなる溶鋼を得、連続鋳造装置により３００ｍｍ角の鋳片に鋳造した。【０１０３】
その際、表１に示す条件で電磁撹拌による鋳型内旋回を行い鋳造し、ブルームを製造した。
ブルームを、１２００〜１２５０℃で、表１に示す時間加熱して分塊圧延を行い、１６０ｍｍ×１６０ｍｍのビレットとした。ビレットを、１１００℃に再度加熱して、棒鋼圧延し直径１５ｍｍの棒鋼とした。
さらにその棒鋼から切り出したサンプルを、９００℃×２０分の焼入れと、４５０℃×２０分の焼戻し熱処理を施し、その後、水冷し、線材の硬度をビッカース硬度で４８０〜５２０に調整した。【０１０４】
その後、仕上げ加工により、ＪＩＳ  Ｚ２２７４（１９７８）金属材料の回転曲げ疲れ試験方法１号試験片（全長８０ｍｍ、つかみ部長さ２０ｍｍ、つかみ部径Ｄ０＝１２ｍｍ、平行部径ｄ＝６ｍｍ、平行部長さＬ＝１０ｍｍ）を作製した。
さらに、３％ＮａＣｌ＋０．３％チオシアン酸アンモニウム水溶液中で試験片を陰極として電解チャージして、０．２〜０．５ｐｐｍの水素を鋼中に含ませた。【０１０５】
チャージ後、Ｚｎめっきを施して水素を試験片中に封入した。その試験片を、小野式回転曲げ疲労試験機を用いて、ＪＩＳ  Ｚ２２７３（１９７８）に準拠した両振り応力繰り返し応力による回転曲げ疲労試験に供し、５×１０5までの疲労限での負荷応力を評価した。【０１０６】
また、試験片の延伸方向の断面を鏡面研磨し、選択的定電位電解エッチング法（ＳＰＥＥＤ法）で処理した後、表面から半径の１／２深さを中心に半径方向に２ｍｍ幅、圧延方向長さ５ｍｍの範囲の鋼中の介在物を走査型電子顕微鏡で観察し、ＥＤＸを用いて介在物の組成を分析し、試料の１０ｍｍ2内の介在物を計数して個数密度を測定した。【０１０７】
【表１】
0006036997.tif 000002
【０１０８】
【表２】
0006036997.tif 000003
【０１０９】
【表３】
0006036997.tif 000004
【０１１０】
その結果を表４に示す。
実施例１〜２８における酸化物介在物は、図１に示すような、ＲＥＭ−Ａｌ−Ｏ又はＲＥＭ−Ａｌ−Ｏ−ＳにＴｉＮが付着した複合介在物となっていて、最大径１０μｍ以上のアルミナクラスターは含まなかった。最大長１０μｍ以上のＭｎＳ、及び、最大径１μｍ以上のＴｉＮの合計個数は、表４に示すように、１０個／ｍｍ2以下であった。【０１１１】
また、実施例１〜２８において、回転曲げ疲労試験による疲労強度は、比較例１〜７に比べ、数十ＭＰａ以上高く、良好な耐疲労特性が得られていることが解る。【０１１２】
比較例１では、Ａｌのみが添加され、ＲＥＭは添加されなかったことに起因し、アルミナクラスター、ＭｎＳ、及び、ＴｉＮが多数存在した。
比較例２では、ＲＥＭ含有量が少なかったことに起因し、アルミナクラスター、ＭｎＳ、及び、ＴｉＮが多数存在した。
比較例３では、Ｓ含有量が多かったことに起因し、ＭｎＳが多数存在した。
比較例４では、ＲＥＭ添加後の還流時間が短かったことに起因し、アルミナクラスター、ＭｎＳ、及び、ＴｉＮが多数存在した。
比較例５では、鋳型内の旋回流速が低かったことに起因し、ＲＥＭ−Ａｌ−Ｏ又はＲＥＭ−Ａｌ−Ｏ−Ｓが鋳片の中心近傍に偏析し、表層部にＴｉＮが多数存在した。
比較例６では、１２５０〜１２００℃域の保持時間が短かったことに起因し、ＴｉＮが多数存在した。
比較例７では、ＲＥＭ含有量が多かったことに起因し、ＴｉＮが付着した複合介在物の最大径が大きくなった。【０１１３】
以上の比較例では、上述の介在物の影響により、製品の疲労強度がいずれも不良であった。【０１１４】
【表４】
0006036997.tif 000005
【産業上の利用可能性】
【０１１５】
本発明によれば、ばね鋼において、アルミナをＲＥＭ−Ａｌ−Ｏに改質して酸化物の粗大化を防止することができ、また、ＳをＲＥＭ−Ａｌ−Ｏ−Ｓとして固定化して粗大ＭｎＳを抑制でき、さらに、ＲＥＭ−Ａｌ−Ｏ−Ｓの介在物にＴｉＮを複合させることにより、単独で析出するＴｉＮの個数密度を減らすことができるので、耐疲労特性に優れたばね鋼を提供することができる。
よって、本発明は、産業上の利用可能性が高い。
【符号の説明】
【０１１６】
Ａ    ＲＥＭ−Ａｌ−Ｏ−Ｓ
Ｂ    ＲＥＭ−Ａｌ−Ｏ−Ｓの表面上に複合析出したＴｉＮ
Ｃ    初析セメンタイト
【図１】
0006036997.tif 000006